【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ユーザ機器によって実施されるワイヤレス通信の方法であって、
基地局との無線リソース制御（ＲＲＣ）接続を確立することによって接続モードに入ることと、
フルシステムフレーム番号（ＳＦＮ）サイクルよりも長い低電力期間を備える接続モード拡張間欠受信（ＤＲＸ）設定を決定することと、
拡張ＤＲＸ非アクティビティタイマーを開始することと、
前記拡張ＤＲＸ非アクティビティタイマーが満了したと決定することと、
前記接続モード拡張ＤＲＸ設定および前記拡張ＤＲＸ非アクティビティタイマーの前記満了に少なくとも部分的に基づく前記低電力期間について前記接続モードにある間、少なくとも１つの無線コンポーネントを非アクティブにすることと、
前記接続モード拡張ＤＲＸ設定に少なくとも部分的に基づく前記低電力期間の後に前記少なくとも１つの無線コンポーネントをアクティブにすることと
を備える、方法。
【請求項２】
ハイパーＳＦＮの指示を受信すること、ここにおいて、前記ハイパーＳＦＮが、前記フルＳＦＮサイクルに等しいかまたはそれよりも大きい時間期間を示し、前記指示が専用信号とブロードキャスト信号とのうちの少なくとも１つを備える、
をさらに備え、
または、前記方法は、前記拡張ＤＲＸ非アクティビティタイマーがデフォルトＤＲＸ非アクティビティタイマーと同時に開始され、前記拡張ＤＲＸ非アクティビティタイマーの期間が前記デフォルトＤＲＸ非アクティビティタイマーの期間よりも長い、
請求項１に記載の方法、
または、デフォルトＤＲＸタイマーが満了したと決定すること、ここにおいて、前記拡張ＤＲＸ非アクティビティタイマーは、前記デフォルトＤＲＸタイマーが満了したという前記決定に少なくとも部分的に基づいて開始される、または、
前記少なくとも１つの無線コンポーネントをアクティブにすることに少なくとも部分的に基づいて前記ＲＲＣ接続を使用して通信すること、または、
システム情報が変化したという指示を受信すること
をさらに備え、
特に、ここにおいて、前記指示が、拡張ＤＲＸのために設定されたユーザ機器（ＵＥ）のグループに関連付けられる、
または、特に、ここにおいて、前記指示が、マシンタイプ通信（ＭＴＣ）固有システム情報ブロック（ＳＩＢ）中のフィールドとシステム情報ブロック１（ＳＩＢ１）中のフィールドとのうちの少なくとも１つを備える、
をさらに備える、請求項１に記載の方法、
または、前記接続モード拡張ＤＲＸ設定がシステム情報修正期間に関連付けられる、請求項１に記載の方法。
【請求項３】
前記接続モード拡張ＤＲＸ設定に関連付けられた無線リンク監視（ＲＬＭ）評価期間を決定することと、
前記ＲＬＭ評価期間に少なくとも部分的に基づいて、前記接続モード拡張ＤＲＸ設定に関連付けられたオン持続時間中にある数のＲＬＭ測定を実施することと
をさらに備え、
前記方法は、特に、ＲＬＭ測定値がしきい値よりも小さいと決定することと、
前記決定に少なくとも部分的に基づいて追加のＲＬＭ測定を実施することと
をさらに備える、
または、前記方法は、特に、前記ＲＬＭ測定に少なくとも部分的に基づいて同期外れ条件を識別することと、
前記同期外れ条件を識別することの後に次のＲＬＭ評価期間に関連付けられた第２の数のＲＬＭ測定を実施することと
をさらに備える、請求項１に記載の方法。
【請求項４】
拡張ＤＲＸ能力、拡張ＤＲＸ選好、またはその両方を備える拡張ＤＲＸメッセージを送信すること、ここにおいて、前記接続モード拡張ＤＲＸ設定が前記拡張ＤＲＸメッセージに少なくとも部分的に基づく、
または、ここにおいて、前記接続モード拡張ＤＲＸ設定が、媒体アクセス制御（ＭＡＣ）再スケジューリング期間に少なくとも部分的に基づくオン持続時間を備える、
をさらに備える、請求項１に記載の方法、
または、ハイブリッド自動再送要求（ＨＡＲＱ）プロセスのための否定応答（ＮＡＣＫ）を送信することと、
再送信タイマーを開始することと、
前記ＨＡＲＱプロセスに関連付けられた再送信を受信することより前に前記再送信タイマーが満了したと決定することと、
前記決定に少なくとも部分的に基づいて再送信要求を送信することと
をさらに備える、請求項１に記載の方法、
または、前記低電力期間中にモバイル発信（ＭＯ）データが送信のために利用可能であると決定することと、
前記決定の後に前記低電力期間の残りの部分の間スケジューリング要求（ＳＲ）を送信するのを控えることと、
前記少なくとも１つの無線コンポーネントをアクティブにすることの後に前記ＭＯデータについてのＳＲを送信することと
をさらに備える、請求項１に記載の方法、
または、前記接続モード拡張ＤＲＸ設定に少なくとも部分的に基づいてスケジューリング要求（ＳＲ）報告設定を識別すること
をさらに備える、請求項１に記載の方法。
【請求項５】
基地局によって実施されるワイヤレス通信の方法であって、
ワイヤレスデバイスとの無線リソース制御（ＲＲＣ）接続を確立することと、
フルシステムフレーム番号（ＳＦＮ）サイクルよりも長い低電力期間とオン持続時間とを備える接続モード拡張間欠受信（ＤＲＸ）のために前記ワイヤレスデバイスを設定することと、前記接続モード拡張ＤＲＸ設定はまた、前記ワイヤレスデバイスによる拡張ＤＲＸ非アクティビティタイマーの開始と、前記拡張ＤＲＸ非アクティビティタイマーが満了したという決定と、前記拡張ＤＲＸ非アクティビティタイマーの前記満了に少なくとも部分的に基づく前記低電力期間について前記接続モードにある間、前記ワイヤレスデバイスの少なくとも１つの無線コンポーネントの非アクティブ化と、を備える、
前記低電力期間中に前記ワイヤレスデバイスとの前記ＲＲＣ接続を維持することと、
前記オン持続時間中に前記ＲＲＣ接続を使用して前記低電力期間の後に前記ワイヤレスデバイスと通信することと
を備える、方法。
【請求項６】
ハイパーＳＦＮの指示を送信すること、ここにおいて、前記ハイパーＳＦＮが、前記フルＳＦＮサイクルに等しいかまたはそれよりも大きい時間期間を示し、前記指示が専用信号とブロードキャスト信号とのうちの少なくとも１つを備える、または、
システム情報が変化したという指示を送信すること、ここにおいて、前記指示が、拡張ＤＲＸのために設定されたユーザ機器（ＵＥ）のグループに関連付けられ、前記指示が、マシンタイプ通信（ＭＴＣ）固有システム情報ブロック（ＳＩＢ）中のフィールドとシステム情報ブロック１（ＳＩＢ１）中のフィールドとのうちの少なくとも１つを備える、
をさらに備える、請求項５に記載の方法、
または、前記ワイヤレスデバイスが前記接続モード拡張ＤＲＸ設定のために設定されたという指示をコアネットワーク要素に送信すること
をさらに備え、
前記方法は、特に、前記コアネットワーク要素に前記接続モード拡張ＤＲＸ設定のための終了指示を送信すること
をさらに備える、
または、前記方法は、特に、前記コアネットワーク要素から前記接続モード拡張ＤＲＸ設定のための終了コマンドを受信すること
をさらに備える、請求項５に記載の方法。
【請求項７】
前記接続モード拡張ＤＲＸ設定に少なくとも部分的に基づいてＳＩＢ修正期間を拡張すること
をさらに備える、請求項５に記載の方法、
または、拡張ＤＲＸ能力、拡張ＤＲＸ選好、またはその両方を備える拡張ＤＲＸメッセージを受信すること、ここにおいて、前記接続モード拡張ＤＲＸ設定が前記拡張ＤＲＸメッセージに少なくとも部分的に基づく、
をさらに備え、
前記方法は、特に、コアネットワーク要素に前記拡張ＤＲＸ能力、前記拡張ＤＲＸ選好、またはその両方を通知すること
をさらに備える、請求項５に記載の方法、
または、前記ワイヤレスデバイスのハイブリッド自動再送要求（ＨＡＲＱ）再送信タイマーに関連付けられた再送信要求を受信することと、
前記再送信要求に少なくとも部分的に基づいてＨＡＲＱプロセスのための再送信を送ることと
をさらに備える、請求項５に記載の方法。
【請求項８】
ワイヤレス通信のための装置であって、
基地局との無線リソース制御（ＲＲＣ）接続を確立することによって接続モードに入るための手段と、
フルシステムフレーム番号（ＳＦＮ）サイクルよりも長い低電力期間を備える接続モード拡張間欠受信（ＤＲＸ）設定を決定するための手段と、
拡張ＤＲＸ非アクティビティタイマーを開始するための手段と、
前記拡張ＤＲＸ非アクティビティタイマーが満了したと決定するための手段と、
前記接続モード拡張ＤＲＸ設定およびが前記拡張ＤＲＸ非アクティビティタイマーの前記満了に少なくとも部分的に基づく前記低電力期間について前記接続モードにある間、少なくとも１つの無線コンポーネントを非アクティブにするための手段と、
前記接続モード拡張ＤＲＸ設定に少なくとも部分的に基づく前記低電力期間の後に前記少なくとも１つの無線コンポーネントをアクティブにするための手段と
を備える、装置。
【請求項９】
ハイパーＳＦＮの指示を受信するための手段、ここにおいて、前記ハイパーＳＦＮが、前記フルＳＦＮサイクルに等しいかまたはそれよりも大きい時間期間を示し、前記指示が専用信号とブロードキャスト信号とのうちの少なくとも１つを備える、または
デフォルトＤＲＸタイマーが満了したと決定するための手段、ここにおいて、前記拡張ＤＲＸ非アクティビティタイマーは、前記デフォルトＤＲＸタイマーが満了したという前記決定に少なくとも部分的に基づいて開始される、または
前記少なくとも１つの無線コンポーネントをアクティブにすることに少なくとも部分的に基づいて前記ＲＲＣ接続を使用して通信するための手段、または
システム情報が変化したという指示を受信するための手段
をさらに備える、請求項８に記載の装置。
【請求項１０】
前記接続モード拡張ＤＲＸ設定に関連付けられた無線リンク監視（ＲＬＭ）評価期間を決定するための手段と、
前記ＲＬＭ評価期間に少なくとも部分的に基づいて、前記接続モード拡張ＤＲＸ設定に関連付けられたオン持続時間中にある数のＲＬＭ測定を実施するための手段と
をさらに備え、
前記装置は、特に、ＲＬＭ測定値がしきい値よりも小さいと決定するための手段と、
前記決定に少なくとも部分的に基づいて追加のＲＬＭ測定を実施するための手段と
をさらに備える、
または、前記装置は、特に、前記ＲＬＭ測定に少なくとも部分的に基づいて同期外れ条件を識別するための手段と、
前記同期外れ条件を識別することの後に次のＲＬＭ評価期間に関連付けられた第２の数のＲＬＭ測定を実施するための手段と
をさらに備える、請求項８に記載の装置。
【請求項１１】
拡張ＤＲＸ能力、拡張ＤＲＸ選好、またはその両方を備える拡張ＤＲＸメッセージを送信するための手段、ここにおいて、前記接続モード拡張ＤＲＸ設定が前記拡張ＤＲＸメッセージに少なくとも部分的に基づく、
をさらに備える、請求項８に記載の装置、
または、ハイブリッド自動再送要求（ＨＡＲＱ）プロセスのための否定応答（ＮＡＣＫ）を送信するための手段と、
再送信タイマーを開始するための手段と、
前記ＨＡＲＱプロセスに関連付けられた再送信を受信することより前に前記再送信タイマーが満了したと決定するための手段と、
前記決定に少なくとも部分的に基づいて再送信要求を送信するための手段と
をさらに備える、請求項８に記載の装置、
または、前記低電力期間中にモバイル発信（ＭＯ）データが送信のために利用可能であると決定するための手段と、
前記決定の後に前記低電力期間の残りの部分の間スケジューリング要求（ＳＲ）を送信するのを控えるための手段と、
前記少なくとも１つの無線コンポーネントをアクティブにすることの後に前記ＭＯデータについてのＳＲを送信するための手段と
をさらに備える、請求項８に記載の装置、
または、前記接続モード拡張ＤＲＸ設定に少なくとも部分的に基づいてスケジューリング要求（ＳＲ）報告設定を識別するための手段
をさらに備える、請求項８に記載の装置。
【請求項１２】
ワイヤレス通信のための装置であって、
ワイヤレスデバイスとの無線リソース制御（ＲＲＣ）接続を確立するための手段と、
フルシステムフレーム番号（ＳＦＮ）サイクルよりも長い低電力期間とオン持続時間とを備える接続モード拡張間欠受信（ＤＲＸ）のために前記ワイヤレスデバイスを設定するための手段と、前記接続モード拡張ＤＲＸ設定はまた、前記ワイヤレスデバイスによる拡張ＤＲＸ非アクティビティタイマーの開始と、前記拡張ＤＲＸ非アクティビティタイマーが満了したという決定と、前記拡張ＤＲＸ非アクティビティタイマーの前記満了に少なくとも部分的に基づく前記低電力期間について前記接続モードにある間、前記ワイヤレスデバイスの少なくとも１つの無線コンポーネントの非アクティブ化と、を備える、
前記低電力期間中に前記ワイヤレスデバイスとの前記ＲＲＣ接続を維持するための手段と、
前記オン持続時間中に前記ＲＲＣ接続を使用して前記低電力期間の後に前記ワイヤレスデバイスと通信するための手段と
を備える、装置。
【請求項１３】
ハイパーＳＦＮの指示を送信するための手段、ここにおいて、前記ハイパーＳＦＮが、前記フルＳＦＮサイクルに等しいかまたはそれよりも大きい時間期間を示し、前記指示が専用信号とブロードキャスト信号とのうちの少なくとも１つを備える、または
システム情報が変化したという指示を送信するための手段、ここにおいて、前記指示が、拡張ＤＲＸのために設定されたユーザ機器（ＵＥ）のグループに関連付けられ、前記指示が、マシンタイプ通信（ＭＴＣ）固有システム情報ブロック（ＳＩＢ）中のフィールドとシステム情報ブロック１（ＳＩＢ１）中のフィールドとのうちの少なくとも１つを備える、
をさらに備える、請求項１２に記載の装置、
または、前記ワイヤレスデバイスが前記接続モード拡張ＤＲＸ設定のために設定されたという指示をコアネットワーク要素に送信するための手段
をさらに備え、
前記装置は、特に、前記コアネットワーク要素に前記接続モード拡張ＤＲＸ設定のための終了指示を送信するための手段
をさらに備える、
または、前記装置は、特に、前記コアネットワーク要素から前記接続モード拡張ＤＲＸ設定のための終了コマンドを受信するための手段
をさらに備える、請求項１２に記載の装置。
【請求項１４】
前記接続モード拡張ＤＲＸ設定に少なくとも部分的に基づいてＳＩＢ修正期間を拡張するための手段
をさらに備える、請求項１２に記載の装置、
または、拡張ＤＲＸ能力、拡張ＤＲＸ選好、またはその両方を備える拡張ＤＲＸメッセージを受信するための手段、ここにおいて、前記接続モード拡張ＤＲＸ設定が前記拡張ＤＲＸメッセージに少なくとも部分的に基づく、
をさらに備え、
前記装置は、特に、コアネットワーク要素に前記拡張ＤＲＸ能力、前記拡張ＤＲＸ選好、またはその両方を通知するための手段
をさらに備える、請求項１２に記載の装置、
または、前記ワイヤレスデバイスのハイブリッド自動再送要求（ＨＡＲＱ）再送信タイマーに関連付けられた再送信要求を受信するための手段と、
前記再送信要求に少なくとも部分的に基づいてＨＡＲＱプロセスのための再送信を送るための手段と
をさらに備える、請求項１２に記載の装置。
【請求項１５】
請求項１〜７のいずれか一項に記載の方法を実施するための命令を備えるコンピュータプログラム。
【手続補正２】
【補正対象書類名】明細書
【補正対象項目名】０１８１
【補正方法】変更
【補正の内容】
【０１８１】
[0198]本明細書で説明された技法は、符号分割多元接続（ＣＤＭＡ）、時分割多元接続（ＴＤＭＡ）、周波数分割多元接続（ＦＤＭＡ）、ＯＦＤＭＡ、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に、本願の出願当初の特許請求の範囲に記載された発明を付記する。
［Ｃ１］
ワイヤレス通信の方法であって、
基地局との無線リソース制御（ＲＲＣ）接続を確立することによって接続モードに入ることと、
フルシステムフレーム番号（ＳＦＮ）サイクルよりも長い低電力期間を備える接続モード拡張間欠受信（ＤＲＸ）設定を決定することと、
前記接続モード拡張ＤＲＸ設定に少なくとも部分的に基づく前記低電力期間について前記接続モードにある間、少なくとも１つの無線コンポーネントを非アクティブにすることと、
前記接続モード拡張ＤＲＸ設定に少なくとも部分的に基づく前記低電力期間の後に前記少なくとも１つの無線コンポーネントをアクティブにすることと
を備える、ワイヤレス通信の方法。
［Ｃ２］
ハイパーＳＦＮの指示を受信すること、ここにおいて、前記ハイパーＳＦＮが、前記フルＳＦＮサイクルに等しいかまたはそれよりも大きい時間期間を示し、前記指示が専用信号とブロードキャスト信号とのうちの少なくとも１つを備える、
をさらに備える、Ｃ１に記載の方法。
［Ｃ３］
拡張ＤＲＸ非アクティビティタイマーを開始することと、
前記拡張ＤＲＸ非アクティビティタイマーが満了したと決定することと、ここにおいて、前記少なくとも１つの無線コンポーネントを非アクティブにすることが、前記拡張ＤＲＸ非アクティビティタイマーの前記満了に少なくとも部分的に基づく、
をさらに備える、Ｃ１に記載の方法。
［Ｃ４］
前記拡張ＤＲＸ非アクティビティタイマーがデフォルトＤＲＸ非アクティビティタイマーと同時に開始され、前記拡張ＤＲＸ非アクティビティタイマーの期間が前記デフォルトＤＲＸ非アクティビティタイマーの期間よりも長い、Ｃ３に記載の方法。
［Ｃ５］
デフォルトＤＲＸタイマーが満了したと決定すること、ここにおいて、前記拡張ＤＲＸ非アクティビティタイマーは、前記デフォルトＤＲＸタイマーが満了したという前記決定に少なくとも部分的に基づいて開始される、
をさらに備える、Ｃ３に記載の方法。
［Ｃ６］
前記少なくとも１つの無線コンポーネントをアクティブにすることに少なくとも部分的に基づいて前記ＲＲＣ接続を使用して通信すること
をさらに備える、Ｃ１に記載の方法。
［Ｃ７］
システム情報が変化したという指示を受信すること
をさらに備える、Ｃ１に記載の方法。
［Ｃ８］
前記指示が、拡張ＤＲＸのために設定されたユーザ機器（ＵＥ）のグループに関連付けられる、Ｃ７に記載の方法。
［Ｃ９］
前記指示が、マシンタイプ通信（ＭＴＣ）固有システム情報ブロック（ＳＩＢ）中のフィールドとシステム情報ブロック１（ＳＩＢ１）中のフィールドとのうちの少なくとも１つを備える、Ｃ７に記載の方法。
［Ｃ１０］
前記接続モード拡張ＤＲＸ設定がシステム情報修正期間に関連付けられる、Ｃ１に記載の方法。
［Ｃ１１］
前記接続モード拡張ＤＲＸ設定に関連付けられた無線リンク監視（ＲＬＭ）評価期間を決定することと、
前記ＲＬＭ評価期間に少なくとも部分的に基づいて、前記接続モード拡張ＤＲＸ設定に関連付けられたオン持続時間中にある数のＲＬＭ測定を実施することと
をさらに備える、Ｃ１に記載の方法。
［Ｃ１２］
ＲＬＭ測定値がしきい値よりも小さいと決定することと、
前記決定に少なくとも部分的に基づいて追加のＲＬＭ測定を実施することと
をさらに備える、Ｃ１１に記載の方法。
［Ｃ１３］
前記ＲＬＭ測定に少なくとも部分的に基づいて同期外れ条件を識別することと、
前記同期外れ条件を識別することの後に次のＲＬＭ評価期間に関連付けられた第２の数のＲＬＭ測定を実施することと
をさらに備える、Ｃ１１に記載の方法。
［Ｃ１４］
拡張ＤＲＸ能力、拡張ＤＲＸ選好、またはその両方を備える拡張ＤＲＸメッセージを送信すること、ここにおいて、前記接続モード拡張ＤＲＸ設定が前記拡張ＤＲＸメッセージに少なくとも部分的に基づく、
をさらに備える、Ｃ１に記載の方法。
［Ｃ１５］
前記接続モード拡張ＤＲＸ設定が、媒体アクセス制御（ＭＡＣ）再スケジューリング期間に少なくとも部分的に基づくオン持続時間を備える、Ｃ１に記載の方法。
［Ｃ１６］
ハイブリッド自動再送要求（ＨＡＲＱ）プロセスのための否定応答（ＮＡＣＫ）を送信することと、
再送信タイマーを開始することと、
前記ＨＡＲＱプロセスに関連付けられた再送信を受信することより前に前記再送信タイマーが満了したと決定することと、
前記決定に少なくとも部分的に基づいて再送信要求を送信することと
をさらに備える、Ｃ１に記載の方法。
［Ｃ１７］
前記低電力期間中にモバイル発信（ＭＯ）データが送信のために利用可能であると決定することと、
前記決定の後に前記低電力期間の残りの部分の間スケジューリング要求（ＳＲ）を送信するのを控えることと、
前記少なくとも１つの無線コンポーネントをアクティブにすることの後に前記ＭＯデータについてのＳＲを送信することと
をさらに備える、Ｃ１に記載の方法。
［Ｃ１８］
前記接続モード拡張ＤＲＸ設定に少なくとも部分的に基づいてスケジューリング要求（ＳＲ）報告設定を識別すること
をさらに備える、Ｃ１に記載の方法。
［Ｃ１９］
ワイヤレス通信の方法であって、
ワイヤレスデバイスとの無線リソース制御（ＲＲＣ）接続を確立することと、
フルシステムフレーム番号（ＳＦＮ）サイクルよりも長い低電力期間とオン持続時間とを備える接続モード拡張間欠受信（ＤＲＸ）のために前記ワイヤレスデバイスを設定することと、
前記低電力期間中に前記ワイヤレスデバイスとの前記ＲＲＣ接続を維持することと、    前記オン持続時間中に前記ＲＲＣ接続を使用して前記低電力期間の後に前記ワイヤレスデバイスと通信することと
を備える、ワイヤレス通信の方法。
［Ｃ２０］
ハイパーＳＦＮの指示を送信すること、ここにおいて、前記ハイパーＳＦＮが、前記フルＳＦＮサイクルに等しいかまたはそれよりも大きい時間期間を示し、前記指示が専用信号とブロードキャスト信号とのうちの少なくとも１つを備える、
をさらに備える、Ｃ１９に記載の方法。
［Ｃ２１］
システム情報が変化したという指示を送信すること、ここにおいて、前記指示が、拡張ＤＲＸのために設定されたユーザ機器（ＵＥ）のグループに関連付けられ、前記指示が、マシンタイプ通信（ＭＴＣ）固有システム情報ブロック（ＳＩＢ）中のフィールドとシステム情報ブロック１（ＳＩＢ１）中のフィールドとのうちの少なくとも１つを備える、  をさらに備える、Ｃ１９に記載の方法。
［Ｃ２２］
前記ワイヤレスデバイスが前記接続モード拡張ＤＲＸ設定のために設定されたという指示をコアネットワーク要素に送信すること
をさらに備える、Ｃ１９に記載の方法。
［Ｃ２３］
前記コアネットワーク要素に前記接続モード拡張ＤＲＸ設定のための終了指示を送信すること
をさらに備える、Ｃ２２に記載の方法。
［Ｃ２４］
前記コアネットワーク要素から前記接続モード拡張ＤＲＸ設定のための終了コマンドを受信すること
をさらに備える、Ｃ２２に記載の方法。
［Ｃ２５］
前記接続モード拡張ＤＲＸ設定に少なくとも部分的に基づいてＳＩＢ修正期間を拡張すること
をさらに備える、Ｃ１９に記載の方法。
［Ｃ２６］
拡張ＤＲＸ能力、拡張ＤＲＸ選好、またはその両方を備える拡張ＤＲＸメッセージを受信すること、ここにおいて、前記接続モード拡張ＤＲＸ設定が前記拡張ＤＲＸメッセージに少なくとも部分的に基づく、
をさらに備える、Ｃ１９に記載の方法。
［Ｃ２７］
コアネットワーク要素に前記拡張ＤＲＸ能力、前記拡張ＤＲＸ選好、またはその両方を通知すること
をさらに備える、Ｃ２６に記載の方法。
［Ｃ２８］
前記ワイヤレスデバイスのハイブリッド自動再送要求（ＨＡＲＱ）再送信タイマーに関連付けられた再送信要求を受信することと、
前記再送信要求に少なくとも部分的に基づいてＨＡＲＱプロセスのための再送信を送ることと
をさらに備える、Ｃ１９に記載の方法。
［Ｃ２９］
ワイヤレス通信のための装置であって、
基地局との無線リソース制御（ＲＲＣ）接続を確立することによって接続モードに入るための手段と、
フルシステムフレーム番号（ＳＦＮ）サイクルよりも長い低電力期間を備える接続モード拡張間欠受信（ＤＲＸ）設定を決定するための手段と、
前記接続モード拡張ＤＲＸ設定に少なくとも部分的に基づく前記低電力期間について前記接続モードにある間、少なくとも１つの無線コンポーネントを非アクティブにするための手段と、
前記接続モード拡張ＤＲＸ設定に少なくとも部分的に基づく前記低電力期間の後に前記少なくとも１つの無線コンポーネントをアクティブにするための手段と
を備える、ワイヤレス通信のための装置。
［Ｃ３０］
ハイパーＳＦＮの指示を受信するための手段、ここにおいて、前記ハイパーＳＦＮが、前記フルＳＦＮサイクルに等しいかまたはそれよりも大きい時間期間を示し、前記指示が専用信号とブロードキャスト信号とのうちの少なくとも１つを備える、
をさらに備える、Ｃ２９に記載の装置。
［Ｃ３１］
拡張ＤＲＸ非アクティビティタイマーを開始するための手段と、
前記拡張ＤＲＸ非アクティビティタイマーが満了したと決定するための手段と、ここにおいて、前記少なくとも１つの無線コンポーネントを非アクティブにすることが前記拡張ＤＲＸ非アクティビティタイマーの前記満了に少なくとも部分的に基づく、
をさらに備える、Ｃ２９に記載の装置。
［Ｃ３２］
デフォルトＤＲＸタイマーが満了したと決定するための手段、ここにおいて、前記拡張ＤＲＸ非アクティビティタイマーは、前記デフォルトＤＲＸタイマーが満了したという前記決定に少なくとも部分的に基づいて開始される、
をさらに備える、Ｃ３１に記載の装置。
［Ｃ３３］
前記少なくとも１つの無線コンポーネントをアクティブにすることに少なくとも部分的に基づいて前記ＲＲＣ接続を使用して通信するための手段
をさらに備える、Ｃ２９に記載の装置。
［Ｃ３４］
システム情報が変化したという指示を受信するための手段
をさらに備える、Ｃ２９に記載の装置。
［Ｃ３５］
前記接続モード拡張ＤＲＸ設定に関連付けられた無線リンク監視（ＲＬＭ）評価期間を決定するための手段と、
前記ＲＬＭ評価期間に少なくとも部分的に基づいて、前記接続モード拡張ＤＲＸ設定に関連付けられたオン持続時間中にある数のＲＬＭ測定を実施するための手段と
をさらに備える、Ｃ２９に記載の装置。
［Ｃ３６］
ＲＬＭ測定値がしきい値よりも小さいと決定するための手段と、
前記決定に少なくとも部分的に基づいて追加のＲＬＭ測定を実施するための手段と
をさらに備える、Ｃ３５に記載の装置。
［Ｃ３７］
前記ＲＬＭ測定に少なくとも部分的に基づいて同期外れ条件を識別するための手段と、  前記同期外れ条件を識別することの後に次のＲＬＭ評価期間に関連付けられた第２の数のＲＬＭ測定を実施するための手段と
をさらに備える、Ｃ３５に記載の装置。
［Ｃ３８］
拡張ＤＲＸ能力、拡張ＤＲＸ選好、またはその両方を備える拡張ＤＲＸメッセージを送信するための手段、ここにおいて、前記接続モード拡張ＤＲＸ設定が前記拡張ＤＲＸメッセージに少なくとも部分的に基づく、
をさらに備える、Ｃ２９に記載の装置。
［Ｃ３９］
ハイブリッド自動再送要求（ＨＡＲＱ）プロセスのための否定応答（ＮＡＣＫ）を送信するための手段と、
再送信タイマーを開始するための手段と、
前記ＨＡＲＱプロセスに関連付けられた再送信を受信することより前に前記再送信タイマーが満了したと決定するための手段と、
前記決定に少なくとも部分的に基づいて再送信要求を送信するための手段と
をさらに備える、Ｃ２９に記載の装置。
［Ｃ４０］
前記低電力期間中にモバイル発信（ＭＯ）データが送信のために利用可能であると決定するための手段と、
前記決定の後に前記低電力期間の残りの部分の間スケジューリング要求（ＳＲ）を送信するのを控えるための手段と、
前記少なくとも１つの無線コンポーネントをアクティブにすることの後に前記ＭＯデータについてのＳＲを送信するための手段と
をさらに備える、Ｃ２９に記載の装置。
［Ｃ４１］
前記接続モード拡張ＤＲＸ設定に少なくとも部分的に基づいてスケジューリング要求（ＳＲ）報告設定を識別するための手段
をさらに備える、Ｃ２９に記載の装置。
［Ｃ４２］
ワイヤレス通信のための装置であって、
ワイヤレスデバイスとの無線リソース制御（ＲＲＣ）接続を確立するための手段と、    フルシステムフレーム番号（ＳＦＮ）サイクルよりも長い低電力期間とオン持続時間とを備える接続モード拡張間欠受信（ＤＲＸ）のために前記ワイヤレスデバイスを設定するための手段と、
前記低電力期間中に前記ワイヤレスデバイスとの前記ＲＲＣ接続を維持するための手段と、
前記オン持続時間中に前記ＲＲＣ接続を使用して前記低電力期間の後に前記ワイヤレスデバイスと通信するための手段と
を備える、ワイヤレス通信のための装置。
［Ｃ４３］
ハイパーＳＦＮの指示を送信するための手段、ここにおいて、前記ハイパーＳＦＮが、前記フルＳＦＮサイクルに等しいかまたはそれよりも大きい時間期間を示し、前記指示が専用信号とブロードキャスト信号とのうちの少なくとも１つを備える、
をさらに備える、Ｃ４２に記載の装置。
［Ｃ４４］
システム情報が変化したという指示を送信するための手段、ここにおいて、前記指示が、拡張ＤＲＸのために設定されたユーザ機器（ＵＥ）のグループに関連付けられ、前記指示が、マシンタイプ通信（ＭＴＣ）固有システム情報ブロック（ＳＩＢ）中のフィールドとシステム情報ブロック１（ＳＩＢ１）中のフィールドとのうちの少なくとも１つを備える、
をさらに備える、Ｃ４２に記載の装置。
［Ｃ４５］
前記ワイヤレスデバイスが前記接続モード拡張ＤＲＸ設定のために設定されたという指示をコアネットワーク要素に送信するための手段
をさらに備える、Ｃ４２に記載の装置。
［Ｃ４６］
前記コアネットワーク要素に前記接続モード拡張ＤＲＸ設定のための終了指示を送信するための手段
をさらに備える、Ｃ４５に記載の装置。
［Ｃ４７］
前記コアネットワーク要素から前記接続モード拡張ＤＲＸ設定のための終了コマンドを受信するための手段
をさらに備える、Ｃ４５に記載の装置。
［Ｃ４８］
前記接続モード拡張ＤＲＸ設定に少なくとも部分的に基づいてＳＩＢ修正期間を拡張するための手段
をさらに備える、Ｃ４２に記載の装置。
［Ｃ４９］
拡張ＤＲＸ能力、拡張ＤＲＸ選好、またはその両方を備える拡張ＤＲＸメッセージを受信するための手段、ここにおいて、前記接続モード拡張ＤＲＸ設定が前記拡張ＤＲＸメッセージに少なくとも部分的に基づく、
をさらに備える、Ｃ４２に記載の装置。
［Ｃ５０］
コアネットワーク要素に前記拡張ＤＲＸ能力、前記拡張ＤＲＸ選好、またはその両方を通知するための手段
をさらに備える、Ｃ４９に記載の装置。
［Ｃ５１］
前記ワイヤレスデバイスのハイブリッド自動再送要求（ＨＡＲＱ）再送信タイマーに関連付けられた再送信要求を受信するための手段と、
前記再送信要求に少なくとも部分的に基づいてＨＡＲＱプロセスのための再送信を送るための手段と
をさらに備える、Ｃ４２に記載の装置。
［Ｃ５２］
ワイヤレス通信のための装置であって、
プロセッサと、
前記プロセッサと電子通信しているメモリと、
前記メモリに記憶された命令であって、前記プロセッサによって実行されたとき、前記装置に、
基地局との無線リソース制御（ＲＲＣ）接続を確立することによって接続モードに入ることと、
フルシステムフレーム番号（ＳＦＮ）サイクルよりも長い低電力期間を備える接続モード拡張間欠受信（ＤＲＸ）設定を決定することと、
前記接続モード拡張ＤＲＸ設定に少なくとも部分的に基づく前記低電力期間について前記接続モードにある間、少なくとも１つの無線コンポーネントを非アクティブにすることと、
前記接続モード拡張ＤＲＸ設定に少なくとも部分的に基づく前記低電力期間の後に前記少なくとも１つの無線コンポーネントをアクティブにすることと
を行わせるように動作可能である命令と
を備える、装置。
［Ｃ５３］
ワイヤレス通信のための装置であって、
プロセッサと、
前記プロセッサと電子通信しているメモリと、
前記メモリに記憶された命令であって、前記プロセッサによって実行されたとき、前記装置に、
ワイヤレスデバイスとの無線リソース制御（ＲＲＣ）接続を確立することと、
フルシステムフレーム番号（ＳＦＮ）サイクルよりも長い低電力期間とオン持続時間とを備える接続モード拡張間欠受信（ＤＲＸ）のために前記ワイヤレスデバイスを設定することと、
前記低電力期間中に前記ワイヤレスデバイスとの前記ＲＲＣ接続を維持することと、
前記オン持続時間中に前記ＲＲＣ接続を使用して前記低電力期間の後に前記ワイヤレスデバイスと通信することと
を行わせるように動作可能である命令と
を備える、装置。